(57)【要約】【課題】蓋の取り外し及び取り付けの作業性の向上が期待できる電気接続箱を提供する。【解決手段】電気接続箱は、多面体型の箱体の一面に設けられた電気部品の収容部と、収容部に装着される蓋体と、蓋体の縁部分に線対称の配置で設けられた２つの変形部と、変形部に設けられた係合部と、箱体又は収容部に設けられた被係合部とを備える。また、電気接続箱は、箱体の一面から突出して設けられた周壁と、周壁の外面に設けられ、蓋体の一面に沿う方向への装着を案内するガイドレールと、蓋体に係合する係合部とを有し、蓋体は、少なくとも周壁の突出端を覆う板部の縁部分に設けられ、蓋体が装着された場合に周壁の少なくとも一部に対向する側壁部と、側壁部に設けられた被案内部と、被案内部に設けられた被係合部とを有する。【選択図】図９
2019221017.tif 000002
【特許請求の範囲】
【請求項１】
多面体型の箱体と、
前記箱体の一面に設けられた電気部品の収容部と、
前記収容部に装着される蓋体と、
前記蓋体の縁部分に、前記蓋体の中心に対して線対称の配置で設けられ、押圧により前記中心向きに変形する２つの変形部と、
前記変形部に設けられた係合部と、
前記箱体又は前記収容部に設けられ、前記係合部に係合される被係合部と
を備える、電気接続箱。
【請求項２】
前記係合部は、前記蓋体の縁部分に外向きに突出する爪状部分であり、
前記被係合部は、前記収容部から離隔して設けられた爪状部分であり、
両爪状部分が係合する、
請求項１に記載の電気接続箱。
【請求項３】
前記蓋体は、長方形の板状であり、
前記２つの変形部は、前記蓋体の２つの長辺の縁部分に設けられている、
請求項１又は請求項２に記載の電気接続箱。
【請求項４】
前記蓋体は、可撓性を有する素材で成形され、長方形状の板部と、前記板部の長辺にそれぞれ設けられた側壁部とを有し、前記板部及び前記側壁部に亘って、前記板部の長手方向に長い開口が形成され、
前記変形部は、前記長手方向と交差する方向に前記開口と隣接する前記側壁部の部分に設けられ、前記交差する方向に長い板状部分を有する、
請求項３に記載の電気接続箱。
【請求項５】
多面体型の箱体と、
前記箱体の一面に設けられた電気部品の収容部と、
前記収容部に装着される蓋体と
を備え、
前記収容部は、
前記箱体の前記一面から突出して設けられ、収容された前記電気部品を囲む周壁と、
前記周壁の外面に設けられ、前記蓋体の前記一面に沿う方向への装着を案内するガイドレールと、
前記周壁の外面に設けられ、前記蓋体に係合する係合部と
を有し、
前記蓋体は、
少なくとも前記周壁の突出端を覆う板部と、
前記板部の縁部分に設けられ、前記蓋体が装着された場合に前記周壁の少なくとも一部に対向する側壁部と、
前記側壁部に設けられ、前記ガイドレールにより案内される被案内部と、
前記被案内部に設けられ、前記係合部に係合される被係合部と
を有する、
電気接続箱。
【請求項６】
前記ガイドレールにより前記周壁に設けられ、前記箱体の前記一面に沿う方向と交差する方向へ前記蓋体を案内する第１の案内路と、前記第１の案内路に連通し、前記一面に沿う方向へ前記蓋体を案内する第２の案内路とを有し、
前記係合部は、前記第２の案内路に設けられている、
請求項５に記載の電気接続箱。
【請求項７】
前記周壁は、長方形状に４つの壁を配して設けられ、
前記ガイドレールは、長方形状に配された４つの壁のうち、長辺に相当する２つの壁にそれぞれ設けられ、
前記蓋体の前記板部は、長方形状であり、
前記被案内部は、前記板部の長辺に相当する縁部分に設けられた２つの側壁部にそれぞれ設けられている、
請求項６に記載の電気接続箱。
【請求項８】
前記周壁の前記２つの壁には、前記第１の案内路及び前記第２の案内路の組がそれぞれ複数組設けられ、
前記蓋体の前記２つの側壁部には、前記被案内部がそれぞれ複数設けられている、
請求項７に記載の電気接続箱。
【発明の詳細な説明】
【技術分野】
【０００１】
本発明は、リレー又はヒューズ等の電気部品を収容する電気接続箱に関する。
【背景技術】
【０００２】
従来、車両には多数の電装品が搭載されている。電装品は、電力を供給する電力線を介してバッテリなどの電源に接続されると共に、制御信号を伝達する信号線を介して制御装置に接続される。電装品及び電源を接続する電力線には、リレー又はヒューズ等の電気部品が介在する場合が多い。電力線は車両内に適宜に配され、電装品及び電源等に接続される。近年では、車両が有する機能の多様化により、車両に搭載される電装品の数が増加している。電装品の増加に伴って、車両内を配される電力線の数が増加し、電力線に介在する電気部品の数も増加する傾向にある。
【０００３】
リレー又はヒューズ等の電気部品は回路保護などを目的として車両内に複数備えられる。これら複数の電気部品は、電気接続箱（いわゆるジャンクションボックス又はリレーボックス等）に集約されて収容される。電気接続箱は、車両の適所に固定され、電源からの電力線と電装品への電力線とが接続される。また電気接続箱には、収容された電気部品を制御する制御装置が内蔵される場合、又は、別筐体で提供される制御装置が組み付けられる場合がある。
【０００４】
特許文献１及び特許文献２においては、電気電子部品カバーを外部からの接触に対して離脱されにくくすることを目的とした電気接続箱が提案されている。
【先行技術文献】
【特許文献】
【０００５】
【特許文献１】特開２０１３−１５０５０４号公報
【特許文献２】特開２０１６−０４７６６２号公報
【発明の概要】
【発明が解決しようとする課題】
【０００６】
電気接続箱に収容されるヒューズなどの電気部品は、電気接続箱が車両に搭載された後に、交換などの作業が行われる場合がある。交換の作業者は、電気接続箱に設けられた蓋又はカバー等を本体部から外し、本体部に収容された電気部品を交換する。このときの電気部品の交換の作業性、蓋又はカバー等の取り外し及び取り付けの作業性の向上が求められている。
【０００７】
本発明は、斯かる事情に鑑みてなされたものであって、その目的とするところは、蓋又はカバー等の取り外し及び取り付けの作業性の向上が期待できる電気接続箱を提供することにある。
【課題を解決するための手段】
【０００８】
本態様に係る電気接続箱は、多面体型の箱体と、前記箱体の一面に設けられた電気部品の収容部と、前記収容部に装着される蓋体と、前記蓋体の縁部分に、前記蓋体の中心に対して線対称の配置で設けられ、押圧により前記中心向きに変形する２つの変形部と、前記変形部に設けられた係合部と、前記箱体又は前記収容部に設けられ、前記係合部に係合される被係合部とを備える。
【０００９】
本態様に係る電気接続箱は、多面体型の箱体と、前記箱体の一面に設けられた電気部品の収容部と、前記収容部に装着される蓋体とを備え、前記収容部は、前記箱体の前記一面から突出して設けられ、収容された前記電気部品を囲む周壁と、前記周壁の外面に設けられ、前記蓋体の前記一面に沿う方向への装着を案内するガイドレールと、前記周壁の外面に設けられ、前記蓋体に係合する係合部とを有し、前記蓋体は、少なくとも前記周壁の突出端を覆う板部と、前記板部の縁部分に設けられ、前記蓋体が装着された場合に前記周壁の少なくとも一部に対向する側壁部と、前記側壁部に設けられ、前記ガイドレールにより案内される被案内部と、前記被案内部に設けられ、前記係合部に係合される被係合部とを有する。
【発明の効果】
【００１０】
上記によれば、電気接続箱の蓋又はカバー等の取り外し及び取り付けの作業性の向上が期待できる。
【図面の簡単な説明】
【００１１】
【図１】実施の形態１に係る電気接続箱の構成を示す斜視図である。
【図２】実施の形態１に係る電気接続箱の構成を示す斜視図である。
【図３】実施の形態１に係る電気接続箱の構成を示す分解斜視図である。
【図４】ヒューズ収容部の構成を示す斜視図である。
【図５】蓋体の構成を示す斜視図である。
【図６】蓋体の構成を示す平面図である。
【図７】蓋体の構成を示す側面図である。
【図８】蓋体の構成を示す側面図である。
【図９】蓋体の係合部及びヒューズ収容部の被係合部の係合を説明するための拡大図である。
【図１０】図９のＸ−Ｘ線による断面図である。
【図１１】実施の形態２に係る電気接続箱の構成を示す斜視図である。
【図１２】実施の形態２に係るヒューズ収容部の構成を示す斜視図である。
【図１３】実施の形態２に係る蓋体の構成を示す斜視図である。
【図１４】実施の形態２に係る蓋体の構成を示す平面図である。
【図１５】実施の形態２に係る蓋体のヒューズ収容部に対する取り付けを説明するための模式図である。
【図１６】実施の形態３に係る電気接続箱の構成を示す斜視図である。
【図１７】実施の形態３に係るヒューズ収容部の構成を示す斜視図である。
【図１８】実施の形態３に係る蓋体の構成を示す斜視図である。
【図１９】実施の形態３に係る蓋体の構成を示す平面図である。
【図２０】実施の形態３に係る蓋体のヒューズ収容部に対する取り付けを説明するための模式図である。
【図２１】図２０の一部拡大図である。
【発明を実施するための形態】
【００１２】
［本発明の実施の形態の説明］
最初に本発明の実施態様を列記して説明する。また、以下に記載する実施形態の少なくとも一部を任意に組み合わせてもよい。
【００１３】
（１）本態様に係る電気接続箱は、多面体型の箱体と、前記箱体の一面に設けられた電気部品の収容部と、前記収容部に装着される蓋体と、前記蓋体の縁部分に、前記蓋体の中心に対して線対称の配置で設けられ、押圧により前記中心向きに変形する２つの変形部と、前記変形部に設けられた係合部と、前記箱体又は前記収容部に設けられ、前記係合部に係合される被係合部とを備える。
【００１４】
本態様にあっては、電気接続箱は多面体型の箱体を備える。電気接続箱の箱体の一面には、ヒューズなどの電気部品を収容する収容部を設ける。収容部には着脱可能な蓋体が装着され、これにより収容された電気部品が保護される。蓋体の縁部分には、蓋体の中心に対して線対称の配置で、押圧により中心向きに変形する２つの変形部を設ける。変形部にはそれぞれ係合部を設けると共に、箱体又は収容部にはこの係合部に係合される被係合部を設ける。これにより、蓋体を把持して変形部を変形させ、係合部及び被係合部を係合させることによって、蓋体を収容部に装着することができると共に、同様にして蓋体を収容部から取り外すことができる。また２つの変形部を線対称の配置で設けることにより、蓋体の把持及び変形部の変形を作業者が容易に行うことができる。これらの構成により電気接続箱は、蓋体の取り付け及び取り外しの作業性が向上することが期待できる。
【００１５】
（２）前記係合部は、前記蓋体の縁部分に外向きに突出する爪状部分であり、前記被係合部は、前記収容部から離隔して設けられた爪状部分であり、両爪状部分が係合することが好ましい。
【００１６】
本態様にあっては、蓋体の変形部に設ける係合部は、蓋体の縁部分に外向きに突出する爪状部分とする。また被係合部は、収容部から離隔して設けられた爪状部分とする。これにより、両爪状部分の係合により蓋体を収容部に対して容易に取り付け及び取り外しを行うことが可能となる。
【００１７】
（３）前記蓋体は、長方形の板状であり、前記２つの変形部は、前記蓋体の２つの長辺の縁部分に設けられていることが好ましい。
【００１８】
本態様にあっては、蓋体を長方形の板状とし、２つの変形部を２つの長辺の縁部分に設ける。これにより、蓋体を把持すると共に、変形部を変形させる作業を、蓋体の取り付け又は取り外しを行う作業者が容易に行うことができる。
【００１９】
（４）前記蓋体は、可撓性を有する素材で成形され、長方形状の板部と、前記板部の長辺にそれぞれ設けられた側壁部とを有し、前記板部及び前記側壁部に亘って、前記板部の長手方向に長い開口が形成され、前記変形部は、前記長手方向と交差する方向に前記開口と隣接する前記側壁部の部分に設けられ、前記交差する方向に長い板状部分を有することが好ましい。
【００２０】
本態様にあっては、可撓性を有する素材で蓋体を成形する。蓋体は、長方形状の板部と、その長辺に設けられた側壁部とを有し、板部及び側壁部に亘って板部の長手方向に長い開口が形成されている。これにより、開口に隣接する側壁部の部分を変形部とすることができる。また変形部には、板部の長手方向に交差する方向に長い板状部分を設けることによって、作業者による変形部を変形させる作業を容易化することができる。
【００２１】
（５）本態様に係る電気接続箱は、多面体型の箱体と、前記箱体の一面に設けられた電気部品の収容部と、前記収容部に装着される蓋体とを備え、前記収容部は、前記箱体の前記一面から突出して設けられ、収容された前記電気部品を囲む周壁と、前記周壁の外面に設けられ、前記蓋体の前記一面に沿う方向への装着を案内するガイドレールと、前記周壁の外面に設けられ、前記蓋体に係合する係合部とを有し、前記蓋体は、少なくとも前記周壁の突出端を覆う板部と、前記板部の縁部分に設けられ、前記蓋体が装着された場合に前記周壁の少なくとも一部に対向する側壁部と、前記側壁部に設けられ、前記ガイドレールにより案内される被案内部と、前記被案内部に設けられ、前記係合部に係合される被係合部とを有する。
【００２２】
本態様にあっては、電気接続箱は多面体型の箱体を備える。電気接続箱の箱体の一面には、ヒューズなどの電気部品を収容する収容部を設ける。収容部には着脱可能な蓋体が装着され、これにより収容された電気部品が保護される。収容部は、箱体の一面から突出して設けられた周壁を有し、周壁の内部に電気部品が収容される。周壁の外面には、蓋体の装着を案内するガイドレールを突設して、収容部が設けられた箱体の一面に沿う方向へ蓋体の着脱を案内すると共に、蓋体に係合する係合部を突設する。蓋体は、周壁の突出端を覆う板部と、板部の縁部分に設けた側壁部とを有する構成とする。蓋体の側壁部は周壁の少なくとも一部に対向し、側壁部には収容部のガイドレールにより案内される被案内部と、収容部の係合部に係合される被係合部とを設ける。これらの構成により、蓋体は箱体の一面に沿う方向へ案内され、係合部及び被係合部の係合により蓋体の箱体からの脱落などが防止され、蓋体が箱体に装着される。これにより作業者は、いわゆるスライド操作により蓋体の箱体への取り付け及び取り外しの作業を行うことができ、作業性の向上が期待できる。
【００２３】
（６）前記ガイドレールにより前記周壁に設けられ、前記箱体の前記一面に沿う方向と交差する方向へ前記蓋体を案内する第１の案内路と、前記第１の案内路に連通し、前記一面に沿う方向へ前記蓋体を案内する第２の案内路とを有し、前記係合部は、前記第２の案内路に設けられていることが好ましい。
【００２４】
本態様にあっては、収容部の周壁に設けるガイドレールにより、箱体の一面に沿う方向と交差する方向へ蓋体を案内する第１の案内路と、この第１の案内路に連通し、箱体の一面に沿う方向へ蓋体を案内する第２の案内路とを画定する。また第２の案内路に係合部を設ける。これにより作業者は、第１の案内路に案内されて蓋体を箱体の一面に沿う方向と交差する方向（箱体の一面に近接離隔する方向）へスライドさせ、次いで第２の案内路に案内されて蓋体を箱体の一面に沿う方向へスライドさせることにより、蓋体を収容部に取り付けることができ、反対の手順で蓋体を収容部から取り外すことができる。この構成により、箱体の一の面に沿う方向への蓋体のスライド量を低減し、蓋体の取り付け及び取り外しの作業性を向上することができる。
【００２５】
（７）前記周壁は、長方形状に４つの壁を配して設けられ、前記ガイドレールは、長方形状に配された４つの壁のうち、長辺に相当する２つの壁にそれぞれ設けられ、前記蓋体の前記板部は、長方形状であり、前記被案内部は、前記板部の長辺に相当する縁部分に設けられた２つの側壁部にそれぞれ設けられていることが好ましい。
【００２６】
本態様にあっては、収容部の周壁は４つの壁を長方形状に配して設ける。蓋体を案内するガイドレールは、４つの壁のうち、長方形の長辺に相当する２つの壁にそれぞれ設ける。また蓋体の板部を長方形状とし、板部の長辺に相当する縁部分に設けられた２つの側壁部に被案内部を設ける。これにより、蓋体の長手方向へのスライド操作で、蓋体の取り付け及び取り外しの作業を行うことができ、作業性を向上することができる。
【００２７】
（８）前記周壁の前記２つの壁には、前記第１の案内路及び前記第２の案内路の組がそれぞれ複数組設けられ、前記蓋体の前記２つの側壁部には、前記被案内部がそれぞれ複数設けられていることが好ましい。
【００２８】
本態様にあっては、周壁の長辺に相当する２つの壁には、第１の案内路及び第２の案内路の組をそれぞれ複数組設ける。蓋体の２つの側壁部には、被案内部をそれぞれ複数設ける。これにより、蓋体の案内を各壁の複数ヶ所で行うことが可能となるため、蓋体を安定して案内することができ、作業性を向上することができる。
【００２９】
［本発明の実施形態の詳細］
本発明の実施形態に係る電気接続箱の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００３０】
（実施の形態１）
図１及び図２は、実施の形態１に係る電気接続箱の構成を示す斜視図である。本実施の形態においては、図１を電気接続箱の正面側とし、図２を電気接続箱の背面側として説明を行う。図３は、実施の形態１に係る電気接続箱の構成を示す分解斜視図である。実施の形態１に係る電気接続箱１は、例えば図示しない車両の車体に固定され、車両内に配される電力線又は通信線等のケーブルが複数接続され、複数のケーブル同士を電気的に接続する装置である。電気接続箱１は、ジャンクションボックス、リレーボックス又は中継器等の名称で呼ばれ得る装置である。電気接続箱１には、リレー及びヒューズ等の電気部品を搭載した回路基板４０が収容されており、これらの電気部品を介して複数のケーブルが電気的に接続される。なお図３に示す分解斜視図では、電気接続箱１に収容される回路基板４０は図示するが、リレー及びヒューズ等の電気部品については図示を省略してある。
【００３１】
電気接続箱１は、回路基板４０を収容する本体部１０と、この本体部１０の開放部分を閉塞する蓋体１４とを備える扁平な直方体状の箱体である。電気接続箱１は、本体部１０の背面側の開放部分から回路基板４０をその内部に収め、開放部分を閉塞するように蓋体１４を本体部１０に固定したものである。本実施の形態においては、電気接続箱１の６つの面１０ａ〜１０ｆについて、便宜上、正面１０ａ、左側面１０ｂ、背面１０ｃ、右側面１０ｄ、上面１０ｅ及び下面１０ｆと区別する。電気接続箱１は、車両内において上面１０ｅを上側とし、下面１０ｆを下側とした向きで車体に固定される。電気接続箱１の正面１０ａ及び背面１０ｃは、表裏に位置する幅広の面である。左側面１０ｂ、右側面１０ｄ、上面１０ｅ及び下面１０ｆは、正面１０ａ及び背面１０ｃに隣接する細長の面である。電気接続箱１の本体部１０に対する蓋体１４の装着は、例えば爪状の部分を利用した係合、又は、ネジ止め等の種々の方法を採用し得る。
【００３２】
回路基板４０は、長方形の板状であり、電気部品が搭載されると共に、この電気部品を用いた電気回路を構成する配線パターンが形成されている。回路基板４０の上辺の縁部分には、別筐体として提供される制御ユニット（図示は省略する）が電気的に接続される接続部１１ａが接続固定されている。接続部１１ａは、細長い長方形状の開口が設けられた四角筒状のケース内に、電気的接続を行うための金属端子が設けられた構成であり、四角筒状のケースが回路基板４０の板面に対して略垂直に突出して設けられている。
【００３３】
回路基板４０の左右辺の縁部分には、複数の接続部１２がそれぞれ接続固定されている。接続部１２は、ケーブルを接続するためのものであり、接続するケーブルの種別及び規格等に適した大きさ及び形状等が採用される。本実施の形態に係る電気接続箱１に設けられた複数の接続部１２は、個々に大きさ及び形状等は異なるが、正方形状又は長方形状の開口が設けられた四角筒状のケース内に電気的接続を行うための金属端子が設けられた構成である。ケーブルの先端に設けられた四角柱状又は四角筒状の接続部を、電気接続箱１の接続部１２のケースに挿入して嵌合させることにより、ケーブル内の電線と接続部１２の金属端子とが電気的に接続される。
【００３４】
また回路基板４０の下辺の縁部分には、ヒューズを収容するヒューズ収容部２０が設けられている。ヒューズ収容部２０は、ヒューズを収容する直方体状の周壁２１と、ヒューズを出し入れするための周壁２１の開口を覆う蓋体３０とを備えている。詳細は後述するが、周壁２１は内部が複数の小部屋に仕切られており、各小部屋にヒューズが収容される。
【００３５】
電気接続箱１の正面１０ａには、正面１０ａの半分以上の面積を占める、正面視で略正方形の凹所１１が形成されている。電気接続箱１の凹所１１には、別筐体として提供される制御ユニットが組み付けられる。凹所１１の底面には、正面１０ａの上辺寄りの位置に、この上辺に沿って長い長方形状の開口が形成されており、電気接続箱１の内部に収容された回路基板４０に設けられた接続部１１ａがこの開口を通して外部へ突出する。電気接続箱１の凹所１１内に制御ユニットの筐体が嵌め込まれ、制御ユニットの接続部と電気接続箱１の接続部１１ａとが接続されることによって、制御ユニットが電気接続箱１に組み付けられる。
【００３６】
電気接続箱１の左側面１０ｂ及び右側面１０ｄには、この面の長手方向（電気接続箱１の上下方向）に長い開口１３がそれぞれ形成されている。電気接続箱１の内部に収容された回路基板４０の左右辺にそれぞれ設けられた接続部１２は、電気接続箱１の開口１３を通して外部へ突出する。また電気接続箱１の下面１０ｆには、下面１０ｆの長手方向（電気接続箱１の左右方向）に長い開口が形成されている。電気接続箱１に収容された回路基板４０の下辺に設けられたヒューズ収容部２０は、電気接続箱１の下面１０ｆの開口を通して外部へ突出する。
【００３７】
図４は、ヒューズ収容部２０の構成を示す斜視図であり、図１に示した電気接続箱１から蓋体３０を取り外した状態を図示してある。図５は蓋体３０の構成を示す斜視図であり、図６は蓋体３０の構成を示す平面図であり、図７及び図８は蓋体３０の構成を示す側面図である。ヒューズ収容部２０は、電気接続箱１の本体部１０の内部に収容される回路基板４０に接続固定されており、電気接続箱１の下面１０ｆに形成された長方形状の開口から突出する態様で設けられている。ヒューズ収容部２０は、開口が長方形状をなす筒状の周壁２１の内部を、縦横に設けた複数の仕切壁２２にて小部屋に仕切った構成である。周壁２１は、第１壁２１ａ〜第４壁２１ｄの４つの壁を長方形の筒状に配した構成である。仕切壁２２にて仕切られた各小部屋にはヒューズ２がそれぞれ挿入され、小部屋の奥方に設けられた金属端子と接続される。
【００３８】
ヒューズ収容部２０の周壁２１の突出端面を覆う蓋体３０は、該突出端面より若干大きな長方形状の天板部３１と、天板部３１の四辺に設けられた第１側壁３２ａ〜第４側壁３２ｄとを有する構成である。第１側壁３２ａ及び第３側壁３２ｃが天板部３１の長辺に対応し、第２側壁３２ｂ及び第４側壁３２ｄが天板部３１の短辺に対応する。蓋体３０がヒューズ収容部２０に装着された状態において、蓋体３０の第１側壁３２ａはヒューズ収容部２０の第１壁２１ａの一部に対向し、蓋体３０の第２側壁３２ｂはヒューズ収容部２０の第２壁２１ｂの一部に対向し、蓋体３０の第３側壁３２ｃはヒューズ収容部２０の第３壁２１ｃの一部に対向し、蓋体３０の第４側壁３２ｄはヒューズ収容部２０の第４壁２１ｄの一部に対向する。
【００３９】
蓋体３０の天板部３１には、長手方向の中央よりも第２側壁３２ｂ寄りの位置に、図６に一点鎖線で示す天板部３１の中心線に対して線対称の配置で、２つの開口３３が形成されている。開口３３は、天板部３１の長辺側の縁の一部に沿って形成され、天板部３１の長手方向に長い長方形状である。各開口３３は、天板部３１と第１側壁３２ａ及び第３側壁３２ｃとの境界部分から、第１側壁３２ａ及び第３側壁３２ｃの一部にまで至っている。また第１側壁３２ａ及び第３側壁３２ｃの縁部分には、開口３３に対応する位置に、切り欠き３４が形成されている。これにより第１側壁３２ａ及び第３側壁３２ｃは、開口３３及び切り欠き３４に挟まれた箇所が、他の部分より細くなっている。
【００４０】
蓋体３０は、例えば合成樹脂などの可撓性を有する素材で成形されている。蓋体３０に設けられた開口３３及び切り欠き３４に挟まれた第１側壁３２ａ及び第３側壁３２ｃの一部分は、他の部分よりも細いため、他の部分よりも変形しやすい。即ち、蓋体３０の縁部分には、開口３３及び切り欠き３４を形成することによって、押圧により中心向きに変形する２つの変形部３５が設けられている。例えば、蓋体３０の取り付け及び取り外しを行う作業者は、蓋体３０を２つの変形部３５にて把持することができ、このときの把持の力加減を調整することで、変形部３５を内向きに変形させることができる。
【００４１】
各変形部３５の中央には、蓋体３０の長手方向と交差する方向、且つ、第１側壁３２ａ及び第３側壁３２ｃの壁面に沿う方向に長い、長方形状の板部３６が設けられている。変形部３５の中央に板部３６をそれぞれ設けることによって、作業者による蓋体３０の把持を補助することができる。また板部３６の外面（蓋体３０の外側に相当する面）には、爪状の突起である係合部３７が外向きにそれぞれ設けられている。また蓋体３０の第４側壁３２ｄの内縁には、図６において一点鎖線で示す中心線に対して線対称の配置で、爪状の突起である係合部３８が内向きに２つ設けられている。これら蓋体３０に設けられた係合部３７及び係合部３８は、ヒューズ収容部２０の周壁２１に設けられた後述の被係合部と係合する。
【００４２】
ヒューズ収容部２０の第１壁２１ａ及び第３壁２１ｃには、蓋体３０の係合部３７に係合される被係合部２３がそれぞれ設けられている。被係合部２３は、第１壁２１ａ及び第３壁２１ｃから離隔して配され、ヒューズ収容部２０の長手方向に長い長方形状の板部２３ａを備える。なお板部２３ａは、長方形状でなくてもよく、三角形、六角形、円形又は球形等の種々の形状であってよい。板部２３ａは、その長手方向の両端部と、第１壁２１ａ及び第３壁２１ｃの外面とを連結する２つの連結部２３ｂにより、第１壁２１ａ及び第３壁２１ｃに支持されている。板部２３ａの内側の面（第１壁２１ａ及び第３壁２１ｃの外面に対向する面）には爪状の突起２３ｃが内向きに突設されている。
【００４３】
また、図示は省略するが、ヒューズ収容部２０の第４壁２１ｄには、蓋体３０の係合部３８に係合される被係合部が設けられている。この被係合部は、例えば第４壁２１ｄに形成された穴又は第４壁２１ｄに突設された爪状の突起等とすることができる。
【００４４】
蓋体３０をヒューズ収容部２０に取り付ける場合、作業者は、例えば２つの変形部３５にて蓋体３０を把持し、蓋体３０の第４側壁３２ｄに設けられた係合部３８をヒューズ収容部２０の第４壁２１ｄに設けられた被係合部に係合させた後、蓋体３０をヒューズ収容部２０に覆い被せ、蓋体３０の変形部３５を内向きに変形させてヒューズ収容部２０の被係合部２３の突起２３ｃに係合させることで、蓋体３０の装着を完了することができる。
【００４５】
蓋体３０をヒューズ収容部２０から取り外す場合、作業者は、例えば蓋体３０の２つの変形部３５を把持して内向きに変形させ、蓋体３０をヒューズ収容部２０から離隔する方向へ移動させることによって、蓋体３０の取り外しを完了することができる。
【００４６】
図９は、蓋体３０の係合部３７及びヒューズ収容部２０の被係合部２３の係合を説明するための拡大図であり、蓋体３０がヒューズ収容部２０に装着された状態において一方の係合部３７及び被係合部２３の周辺を拡大して示したものである。また図１０は、図９のＸ−Ｘ線による断面図である。蓋体３０がヒューズ収容部２０に装着された場合、蓋体３０の第１側壁３２ａは、ヒューズ収容部２０の第１壁２１ａと被係合部２３の板部２３ａとの間に位置する。同様に、蓋体３０の第３側壁３２ｃは、ヒューズ収容部２０の第３壁２１ｃと被係合部２３の板部２３ａとの間に位置する。この状態において、蓋体３０の変形部３５はヒューズ収容部２０の被係合部２３の板部２３ａと対向し、変形部３５に設けられた係合部３７はヒューズ収容部２０の被係合部２３の突起２３ｃに係合する。
【００４７】
蓋体３０の変形部３５に係合部３７として設けられる爪状の突起は、図１０に示すように、板部３６の外面から略垂直（垂直よりもやや緩やかな角度）で立ち上がる第１面、該第１面に連なって板部３６の外面と略平行に設けられる第２面、及び、該第２面に連なって板部３６の外面に対して略４５°に傾斜する第３面を有する断面形状が略台形の突起である。ヒューズ収容部２０の被係合部２３に設けられる爪状の突起２３ｃは、図１０に示すように、板部２３ａの内面から略垂直（垂直よりもやや急峻な角度）で立ち上がる第１面、該第１面に連なって板部２３ａの内面と略平行に設けられる第２面、及び、該第２面に連なって板部２３ａの内面に対して略４５°に傾斜する第３面を有する断面形状が略台形の突起である。
【００４８】
蓋体３０の係合部３７及びヒューズ収容部２０の被係合部２３が係合した状態において、それぞれ略垂直に立ち上がる係合部３７の第１面と被係合部２３の突起２３ｃの第１面とが当接することによって、蓋体３０がヒューズ収容部２０から脱落することを防止する。作業者が蓋体３０の変形部３５を内側（被係合部２３から離隔する方向）へ変形させることにより、蓋体３０の係合部３７及びヒューズ収容部２０の被係合部２３の係合を解除することができ、蓋体３０をヒューズ収容部２０から取り外すことができる。
【００４９】
また蓋体３０をヒューズ収容部２０に取り付ける際に、作業者が変形部３５を変形させずに蓋体３０をヒューズ収容部２０に対して覆い被せた場合、それぞれ略４５°に傾斜した蓋体３０の係合部３７の第３面と被係合部２３の突起２３ｃの第３面とが当接する。このときに作業者は変形部３５を変形させて蓋体３０を更に押し込むことで、蓋体３０の係合部３７をヒューズ収容部２０の被係合部２３と係合する位置まで移動させることができる。ただし、作業者は変形部３５を変形させなくとも、４５°に傾斜した蓋体３０の係合部３７の第３面と被係合部２３の突起２３ｃの第３面とが当接した状態で蓋体３０を単に奥方へ押し込むことで、変形部３５に内向きの力が加わり、変形部３５が変形するため、蓋体３０の係合部３７をヒューズ収容部２０の被係合部２３と係合する位置まで移動させることが可能である。
【００５０】
以上の構成の実施の形態１に係る電気接続箱１は多面体型の箱体であり、電気接続箱１の下面１０ｆにはヒューズを収容するヒューズ収容部２０が設けられている。ヒューズ収容部２０には着脱可能な蓋体３０が装着され、これにより収容されたヒューズが保護される。蓋体３０の長辺の縁部分に設けられた第１側壁３２ａ及び第３側壁３２ｃには、蓋体３０の中心線に対して線対称の配置で、押圧により中心向きに変形する２つの変形部３５が設けられている。変形部３５にはそれぞれ係合部３７が設けられ、ヒューズ収容部２０には蓋体３０の係合部３７に係合される被係合部２３が設けられている。これらにより作業者は、蓋体３０の長辺部分を把持して変形部３５を変形させ、蓋体３０の係合部３７とヒューズ収容部２０の被係合部２３とを係合させることによって、蓋体３０をヒューズ収容部２０に装着することができるとともに、同様にして蓋体３０をヒューズ収容部２０から取り外すことができる。また２つの変形部３５を蓋体３０の線対称の配置で設けることにより、蓋体３０の把持及び変形部３５の変形を作業者が容易に行うことができる。これらの構成により、実施の形態１に係る電気接続箱１は、蓋体３０の取り付け及び取り外しの作業性が向上することが期待できる。
【００５１】
また実施の形態１に係る電気接続箱１は、蓋体３０の変形部３５に設ける係合部３７を、蓋体３０の縁部分に設けられた第１側壁３２ａ及び第３側壁３２ｃから外向きに突出する爪状の部分とする。またヒューズ収容部２０の被係合部２３は、第１壁２１ａ及び第３壁２１ｃから離隔して設けられた板部２３ａに突設された爪状の突起２３ｃを有する。これらにより、蓋体の爪状の部分とヒューズ収容部２０の被係合部２３に設けられた爪状の突起２３ｃとが係合し、蓋体３０をヒューズ収容部２０に対して容易に取り付け及び取り外しを行うことが可能となる。
【００５２】
また実施の形態１に係る電気接続箱１は、長方形の板状をなす蓋体３０の２つの長辺の縁部分に２つの変形部３５を設けた構成である。これにより、蓋体３０を把持すると共に、変形部３５を変形させる作業を、蓋体３０の取り付け又は取り外しを行う作業者が容易に行うことができる。
【００５３】
また実施の形態１に係る電気接続箱１は、蓋体３０の２つの長辺に沿って２つの開口３３を形成し、この開口３３の縁部分を変形部３５とした構成である。開口３３の縁部分は、開口３３の内側へ向けて変形しやすく、２つの開口３３を蓋体３０の２つの長辺に沿って形成することによって、容易に２つの変形部３５を設けることができる。
【００５４】
なお実施の形態１においては、蓋体３０の係合部３７に係合される被係合部２３を、ヒューズ収容部２０に設ける構成としたが、これに限るものではない。例えば電気接続箱１の下面１０ｆに板部２３ａをヒューズ収容部２０の第１壁２１ａ及び第３壁２１ｃに対向するように立設し、板部２３ａに突起２３ｃを設けることで被係合部２３としてもよい。
【００５５】
また、電気接続箱１を直方体状としたが、これに限るものではなく、例えば円柱状又は角柱状等の種々の形状であってよい。同様に、ヒューズ収容部２０の形状も直方体状以外の種々の形状であってよい。また電気接続箱１の左側面１０ｂ及び右側面１０ｄの二面に接続部１２をそれぞれ設ける構成としたが、これに限るものではなく、電気接続箱１のいずれかの１面又は３面以上に接続部１２を設けてよい。また電気接続箱１は、制御ユニットを組み付けるための凹所１１を備えない構成であってもよい。また電気接続箱１が車両に搭載されるものとしたが、これに限るものではなく、電気接続箱１は車両以外の種々の場所で利用され得る。電気接続箱１に収容される電気部品は、リレー、ヒューズ及び回路基板４０に限らず、これら以外の種々の電気部品が収容されてよい。また図面に示した電気接続箱１の形状などは一例であって、これに限るものではない。またヒューズ収容部２０及び蓋体３０の形状、係合部３７及び被係合部２３の形状及び配置等は、図示のものに限らない。
【００５６】
（実施の形態２）
図１１は、実施の形態２に係る電気接続箱２０１の構成を示す斜視図である。実施の形態２に係る電気接続箱２０１は、実施の形態１に係る電気接続箱１の構成と略同じであるが、ヒューズ収容部２２０及びその蓋体２３０の構成が異なっている。図１２は、実施の形態２に係るヒューズ収容部２２０の構成を示す斜視図であり、図１１に示した電気接続箱２０１から蓋体２３０を取り外した状態を図示してある。図１３は実施の形態２に係る蓋体２３０の構成を示す斜視図であり、図１４は実施の形態２に係る蓋体２３０の構成を示す平面図である。
【００５７】
実施の形態２に係る電気接続箱２０１のヒューズ収容部２２０は、直方体状の箱体であり、この箱体に設けられたヒューズを出し入れするための開口を蓋体２３０が覆うことで、収容されたヒューズを保護する構成である。ヒューズ収容部２２０は、電気接続箱２０１の内部に収容される回路基板４０に接続固定されており、電気接続箱２０１の下面１０ｆに形成された長方形状の開口から突出する態様で設けられている。ヒューズ収容部２２０は、開口が長方形状をなす筒状の周壁２２１の内部を、縦横に設けた複数の仕切壁２２２にて小部屋に仕切った構成である。周壁２２１は、第１壁２２１ａ〜第４壁２２１ｄの４つの壁を長方形の筒状に配した構成である。
【００５８】
ヒューズ収容部２２０の第１壁２２１ａ及び第３壁２２１ｃの外面には、長手方向に略中央から第４壁２２１ｄが設けられた側にかけて、第４壁２２１ｄに至る手前の位置まで、角棒状のガイドレール２２３が突設されている。また第１壁２２１ａ及び第３壁２２１ｃの外面の略中央には、長手方向に直交する方向に長い直方体状のリブ２２４が突設されている。
【００５９】
実施の形態２に係る蓋体２３０は、長方形状の天板部２３１と、天板部２３１の三辺に設けられた第１側壁２３２ａ〜第３側壁２３２ｃとを有する構成である。実施の形態２に係る蓋体２３０は、天板部２３１の２つの長辺に第１側壁２３２ａ及び第３側壁２３２ｃが設けられ、一方の短辺に第２側壁２３２ｂが設けられ、他方の短辺には側壁が設けられていない。蓋体２３０がヒューズ収容部２２０に装着された状態において、蓋体２３０の第１側壁２３２ａはヒューズ収容部２２０の第１壁２２１ａの一部に対向し、蓋体２３０の第２側壁２３２ｂはヒューズ収容部２２０の第２壁２２１ｂの一部に対向し、蓋体２３０の第３側壁２３２ｃはヒューズ収容部２２０の第３壁２２１ｃの一部に対向する。
【００６０】
蓋体２３０の第１側壁２３２ａ及び第３側壁２３２ｃには、長手方向に蓋体２３０の略中央から側壁が設けられていない短辺側にかけて、この短辺に至る手前の位置まで、内向きに庇部２３３がそれぞれ設けられている。庇部２３３は、略長方形の板状である。また、蓋体２３０の中央側の各庇部２３３の端部から、天板部３１の内面にかけて、２つのリブ２３４が第１側壁２３２ａ又は第３側壁２３２ｃの内面に突設されている。第１側壁２３２ａ及び第３側壁２３２ｃの内面からのリブ２３４の突出量は、庇部２３３の突出量と略同じである。
【００６１】
実施の形態２に係る電気接続箱２０１は、蓋体２３０を下面１０ｆに沿う方向へスライドさせることによって、ヒューズ収容部２２０に対する取り付け及び取り外しを行うことが可能な構成である。図１５は、実施の形態２に係る蓋体２３０のヒューズ収容部２２０に対する取り付けを説明するための模式図である。図１５の上段に示すように、蓋体２３０の取り付けを行う作業者は、蓋体２３０の長手方向の略中央から側壁が設けられていない側までが、ヒューズ収容部２２０の長手方向の第２壁２２１ｂ側から略中央までの部分を覆うように、蓋体２３０の内面をヒューズ収容部２２０の周壁２２１の端面に当接させる。このとき、蓋体２３０の第１側壁２３２ａ及び第２側壁２３２ｂの内面に突設された庇部２３３及びリブ２３４の突出端面が、ヒューズ収容部２２０の第１壁２１ａ及び第３壁２１ｃの外面に当接する。なおこの作業は、蓋体２３０を電気接続箱２０１の下面１０ｆに沿う方向へ移動させて行う必要はなく、下面１０ｆに沿う方向に交差する方向へ蓋体２３０を移動させてヒューズ収容部２２０に当接させてよい。
【００６２】
蓋体２３０をヒューズ収容部２２０に当接させた後、電気接続箱２０１の下面１０ｆに沿う方向、且つ、蓋体２０３の長手方向へ、作業者は蓋体２３０を移動（スライド）させる。ヒューズ収容部２２０の第１壁２１ａ及び第３壁２１ｃの外面に突設されたガイドレール２２３及びリブ２２４の外面からの突出量は、蓋体２３０の第１側壁２３２ａ及び第２側壁２３２ｂの内面に突設された庇部２３３及びリブ２３４の内面からの突出量と略同じであるため、ガイドレール２２３及びリブ２２４は蓋体２３０の内側に収まる。更にガイドレール２２３及びリブ２２４は、蓋体２３０の天板部２３１の内面と庇部２３３との間に収まるよう、形状及び配置等が設定されている。このため、ヒューズ収容部２２０に当接した蓋体２３０が作業者によりスライドされた場合、蓋体２３０の内面側ではヒューズ収容部２２０のガイドレール２２３及びリブ２３４が蓋体２３０の天板部２３１及び庇部２３３の間に収まりながら、蓋体２３０が移動する。またヒューズ収容部２２０のガイドレール２２３は、本体部１０側の面が蓋体２３０の庇部２３３の天板部２３１側の面に当接し、蓋体２３０の移動を電気接続箱２０１の下面１０ｆに沿う方向に案内する（制限する）と共に、蓋体２３０がヒューズ収容部２２０から脱落することを防止する。
【００６３】
作業者が蓋体２３０をヒューズ収容部２２０のガイドレール２２３に沿ってスライドさせていくと、ヒューズ収容部２２０のリブ２２４と蓋体２３０のリブ２３４とが当接する。蓋体２３０は例えば合成樹脂などの可撓性を有する素材で成形されているため、作業者が蓋体２３０に力を加えて更にスライドさせることにより、蓋体２３０の変形を伴ってリブ２３４にヒューズ収容部２２０のリブ２２４を乗り越えさせることができる。ヒューズ収容部２２０のガイドレール２２３及びリブ２２４の間には、蓋体２３０のリブ２３４が収まる程度の隙間が設けられており、図１５の下段に示すように、ヒューズ収容部２２０のリブ２２４を乗り越えた蓋体２３０のリブ２３４はこの隙間に収まる。この状態において、蓋体２３０のリブ２３４とヒューズ収容部２２０のリブ２２４とが係合し、蓋体２３０が離脱方向にスライドされてヒューズ収容部２２０から脱落することが防止される。
【００６４】
ヒューズ収容部２２０に装着された蓋体２３０を取り外す場合には、上記の逆手順を作業者が行えばよい。即ち作業者は、蓋体２３０に力を加えて逆方向へスライドさせることにより、蓋体２３０のリブ２３４にヒューズ収容部２２０のリブ２２４を乗り越えさせ、リブ２３４及びリブ２２４の係合を解除する。更に作業者は、ヒューズ収容部２２０のガイドレール２２３に沿って蓋体２３０をスライドさせることにより、蓋体２３０をヒューズ収容部２２０から取り外すことができる。
【００６５】
以上の構成の実施の形態２に係る電気接続箱２０１は多面体型の箱体であり、下面１０ｆにはヒューズを収容するヒューズ収容部２２０が設けられている。ヒューズ収容部２２０には着脱可能な蓋体２３０が装着され、これにより収容されたヒューズが保護される。ヒューズ収容部２２０は、電気接続箱２０１の下面１０ｆから突出して設けられた周壁２２１を有し、周壁２２１の内部にヒューズが収容される。周壁２２１の第１壁２２１ａ及び第３壁２２１ｃの外面には、蓋体２３０の装着を案内するガイドレール２２３が突設され、電気接続箱２０１の下面１０ｆに沿う方向へ蓋体２３０の着脱を案内すると共に、蓋体２３０に係合するリブ２２４が設けられている。蓋体２３０は、ヒューズ収容部２２０の周壁２２１の突出端を覆う天板部２３１と、天板部２３１の縁部分に設けた第１側壁２３２ａ〜第３側壁２３２ｃとを有する。蓋体２３０の第１側壁２３２ａ及び第３側壁２３２ｃはヒューズ収容部２２０の第１壁２２１ａ及び第３壁２２１ｃの少なくとも一部に対向する。蓋体２３０の第１側壁２３２ａ及び第３側壁２３２ｃには、ヒューズ収容部２２０のガイドレール２２３により案内される庇部２３３と、ヒューズ収容部２２０のリブ２２４に係合されるリブ２３４とが設けられている。これらの構成により、蓋体２３０はガイドレール２２３により電気接続箱２０１の下面１０ｆに沿う方向へ案内され、蓋体２３０のリブ２３４及びヒューズ収容部２２０のリブ２２４の係合により蓋体２３０の脱落などが防止され、蓋体２３０がヒューズ収容部２２０に装着される。作業者は、スライド操作により蓋体２３０の取り付け及び取り外しの作業を行うことができ、作業性の向上が期待できる。
【００６６】
なお実施の形態２においては、蓋体２３０を長手方向にスライドさせる構成としたが、これに限るものではなく、長手方向に交差する方向へスライドさせる構成としてもよい。図面に示したガイドレール２２３及びリブ２２４の形状及び配置等は一例であって、これに限るものではない。同様に、蓋体２３０の形状、蓋体２３０の庇部２３３及びリブ２３４の形状及び配置等は一例であって、これに限るものではない。
【００６７】
実施の形態２に係る電気接続箱２０１のその他の構成は、実施の形態１に係る電気接続箱１と同様であるため、同様の箇所には同じ符号を付し、詳細な説明を省略する。
【００６８】
（実施の形態３）
図１６は、実施の形態３に係る電気接続箱３０１の構成を示す斜視図である。実施の形態３に係る電気接続箱３０１は、実施の形態２に係る電気接続箱２０１と同様に、蓋体３３０をヒューズ収容部３２０に対してスライドさせて取り付け及び取り外しすることが可能な構成である。実施の形態３に係る電気接続箱３０１は、取り付け及び取り外しの作業に伴う蓋体３３０のスライド量（距離、長さ）を短縮し、作業性の更なる向上を目指したものである。図１７は、実施の形態３に係るヒューズ収容部３２０の構成を示す斜視図であり、図１５に示した電気接続箱３０１から蓋体３３０を取り外した状態を図示してある。図１８は実施の形態３に係る蓋体３３０の構成を示す斜視図であり、図１９は実施の形態３に係る蓋体３３０の構成を示す平面図である。
【００６９】
実施の形態３に係る電気接続箱３０１のヒューズ収容部３２０は、直方体状の箱体であり、この箱体に設けられたヒューズを出し入れするための開口を蓋体３３０が覆うことで、収容されたヒューズを保護する構成である。ヒューズ収容部３２０は、電気接続箱３０１の内部に収容される回路基板４０に接続固定されており、電気接続箱３０１の下面１０ｆに形成された長方形状の開口から突出する態様で設けられている。ヒューズ収容部３２０は、開口が長方形状をなす筒状の周壁３２１の内部を、縦横に設けた複数の仕切壁３２２にて小部屋に仕切った構成である。周壁３２１は、第１壁３２１ａ〜第４壁３２１ｄの４つの壁を長方形の筒状に配した構成である。
【００７０】
ヒューズ収容部３２０の第１壁３２１ａ及び第３壁３２１ｃの外面には、蓋体３３０のヒューズ収容部３２０に対する装着を案内するガイドレール３２３がそれぞれ設けられている。実施の形態３に係るガイドレール２２３は、詳細は後述するが、電気接続箱３０１の下面１０ｆに対して垂直な方向と、下面１０ｆに沿う方向との２方向に蓋体３３０のスライドを２段階で案内する構成である。
【００７１】
実施の形態３に係る蓋体３３０は、長方形状の天板部３３１と、天板部３３１の三辺に設けられた第１側壁３３２ａ〜第３側壁３３２ｃとを有する構成である。実施の形態３に係る蓋体３３０は、天板部３３１の２つの長辺に第１側壁３３２ａ及び第３側壁３３２ｃが設けられ、一方の短辺に第２側壁３３２ｂが設けられ、他方の短辺には側壁が設けられていない。蓋体３３０がヒューズ収容部３２０に装着された状態において、蓋体３３０の第１側壁３３２ａはヒューズ収容部３２０の第１壁３２１ａの一部に対向し、蓋体３３０の第２側壁３３２ｂはヒューズ収容部３２０の第２壁３２１ｂの一部に対向し、蓋体３３０の第３側壁３３２ｃはヒューズ収容部３２０の第３壁３２１ｃの一部に対向する。
【００７２】
蓋体３３０の第１側壁３３２ａ及び第３側壁３３２ｃの縁部分には、それぞれ２ヶ所に、内向きに突出する突起３３３が設けられている。第１の突起３３３は、蓋体３３０の側壁が設けられていない短辺から所定距離（図示の例では蓋体３３０の長手方向の長さの約１／５の長さ）だけ、長手方向の中央よりの位置に設けられている。第２の突起３３３は、第１の突起３３３が設けられた位置と第２側壁３３２ｂとの略中間位置に設けられている。また第１側壁３３２ａの２つの突起３３３と、第３側壁３３２ｃの２つの突起３３３とは、対向する配置である。対向する２つの突起３３３の間の距離は、ヒューズ収容部３２０の周壁３２１の短辺の長さと略同じである。
【００７３】
また蓋体３３０の第１側壁３３２ａ及び第３側壁３３２ｃの縁部分には、突出する各突起３３３の根元部分を間にしてそれぞれ２つの切り欠き３３４が形成されている。蓋体２３０は例えば合成樹脂などの可撓性を有する素材で成形されており、突起３３３の根元部分を間に２つの切り欠き３３４を形成することによって、突起３３３が蓋体３３０の内外の方向へ変形しやすくすることができる。また蓋体３３０の第１側壁３３２ａ及び第３側壁３３２ｃの外面には、第２の突起３３３が設けられた位置に対応して、略三角形のマーク３３５が記されている。マーク３３５は、作業者に対して、第２の突起３３３の位置を蓋体３３０の外側から知らせるためのものである。
【００７４】
図２０は、実施の形態３に係る蓋体３３０のヒューズ収容部３２０に対する取り付けを説明するための模式図である。図２１は、図２０の一部拡大図である。上述のように、実施の形態３に係るヒューズ収容部３２０の周壁３２１には、長辺側の第１壁３２１ａ及び第３壁３２１ｃの外面に、ガイドレール３２３がそれぞれ設けられている。ガイドレール３２３は、第１壁３２１ａ及び第３壁３２１ｃの長手方向に長く、長手方向の両端間に亘って設けられた第１部分３２３ａを有している。ガイドレール３２３の第１部分３２３ａは、電気接続箱３０１の下面１０ｆからの周壁３２１の突出端である縁部分から所定の距離を隔てて、この縁部分と略平行に設けられた長方形状又は角棒状である。第１部分３２３ａは、長手方向の途中の２ヶ所に途切れた部分（開放部３２３ｂ）が存在し、この開放部３２３ｂにより３つの部分に分けられる。
【００７５】
ガイドレール３２３は、２つの開放部３２３ｂにより３つに分けられた第１部分３２３ａのうち、周壁３２１の第２壁３２１ｂ寄りの２つの第１部分３２３ａの第４壁３２１ｄ側の端部に連なって、第１部分３２３ａに対して略直角に電気接続箱３０１の下面１０ｆ側へ延びる２つの第２部分３２３ｃを有している。またガイドレール３２３は、第２部分３２３ｃの下面１０ｆ側の端部に連なって、該第２部分３２３ｃの反対端部に連なる第１部分３２３ａとは反対方向へ、第１部分３２３ａと略平行に延びる第３部分３２３ｄを有している。第３部分３２３ｄは、第１部分３２３ａより短く、例えば第１壁３２１ａ及び第３壁３２１ｃの長手方向の長さの約１／７程度とすることができる。またガイドレール３２３は、第３部分３２３ｄの第２部分３２３ｃと連なる側とは反対側の端部に連なって、第３部分３２３ｄに対して略垂直に第１部分３２３ａへ向けて延びる第４部分３２３ｅを有している。第４部分３２３ｅは、第１部分３２３ａに連なる。
【００７６】
ガイドレール３２３が上記のような第１部分３２３ａ、第２部分３２３ｃ、第３部分３２３ｄ及び第４部分３２３ｅを有することによって、これらの部分で囲まれた案内路３２５が、ヒューズ収容部３２０の第１壁３２１ａ及び第３壁３２１ｃの外面に設けられる。案内路３２５は、第１部分３２３ａ、第２部分３２３ｃ、第３部分３２３ｄ及び第４部分３２３ｅに囲まれた長方形状の凹所であるが、一方の長辺の端に開放部３２３ｂが設けられており、周壁３２１の突出端側で解放されている。開放部３２３ｂの幅（開放部３２３ｂを間にした２つの第１部分３２３ａの距離）は、蓋体３３０の突起３３３の幅（蓋体３３０の長手方向における突起３３３の長さ）と略同じ又はこれよりも若干広い。またガイドレール３２３の第１部分３２３ａ及び第３部分３２３ｄの間の距離は、蓋体３３０の突起３３３の厚み（蓋体３３０の天板部３３１の表裏方向における突起３３３の長さ）と略同じ又はこれよりも若干広い。またヒューズ収容部３２０の第１壁３２１ａ及び第３壁３２１ｃにそれぞれ設けられた２つの開放部３２３ｂの間の距離は、蓋体３３０の第１側壁２３２ａ及び第２側壁２３２ｂにそれぞれ設けられた２つの突起３３３の間の距離と略同じである。
【００７７】
ガイドレール３２３によりヒューズ収容部３２０の第１壁３２１ａ及び第３壁３２１ｃの外面に設けられる案内路３２５は、蓋体３３０の突起３３３をその内部に導くことによって、蓋体３３０のヒューズ収容部３２０に対する装着を案内する。案内路３２５は、ガイドレール３２３の開放部３２３ｂ及び第２部分３２３ｃにより蓋体３３０をヒューズ収容部３２０へ近接離隔する方向へ導く第１案内路３２５ａと、ガイドレール３２３の第１部分３２３ａ、第３部分３２３ｄ及び第４部分３２３ｅにより蓋体３３０を長手方向へ導く第２案内路３２５ｂとを含む。
【００７８】
ヒューズ収容部３２０の第２案内路３２５ｂ内には、最奥よりも手前の位置に、第１壁３２１ａ及び第３壁３２１ｃの外面から突出する突起３２４が設けられている。突起３２４とガイドレール３２３の第４部分３２３ｅとの間の距離は、蓋体３３０の突起３３３の幅と略同じか又はこれよりも若干広い。突起３２４は、第２案内路３２５ｂの奥方まで案内された蓋体３３０の突起３３３と係合し、突起３３３が開放部３２３ｂ側へ移動することを防止する。
【００７９】
蓋体３３０をヒューズ収容部３２０へ取り付ける作業を行う場合、作業者は、蓋体３３０の４つの突起３３３と、ヒューズ収容部３２０のガイドレール３２３に設けられた４つの開放部３２３ｂとの位置を合わせて、４つの開放部３２３ｂに４つの突起３３３を通すように蓋体３３０をヒューズ収容部３２０へ接近させる。これにより、蓋体３３０の突起３３３は開放部３２３ｂから第１案内路３２５ａを通ってガイドレール３２３の第３部分３２３ｄに当接する。その後、作業者は、蓋体３３０をヒューズ収容部３２０の第４壁３２１ｄの側へ向けて、蓋体３３０を長手方向にスライドさせる。蓋体３３０の突起３３３は第２案内路３２５ｂに沿って奥方へ移動し、第２案内路３２５ｂ内に設けられた突起３２４に当接する。この状態で作業者が力を加えて蓋体３３０を更に奥方へスライドさせることにより、蓋体３３０の突起３３３の周辺部分の変形を伴って、蓋体３３０の突起３３３が第２案内路３２５ｂ内の突起３２４を乗り越え、突起３３３が第２案内路３２５ｂの最奥に至る。この状態においては、蓋体３３０の突起３３３と第２案内路３２５ｂ内の突起３２４とが係合し、蓋体３３０が離脱方向にスライドされてヒューズ収容部３２０から脱落することが防止される。
【００８０】
ヒューズ収容部３２０に装着された蓋体３３０を取り外す場合には、上記の逆手順を作業者が行えばよい。即ち作業者は、蓋体３３０に力を加えて逆方向へスライドさせることにより、蓋体３３０の突起３３３にヒューズ収容部３２０の突起３２４を乗り越えさせ、突起３３３及び突起３２４の係合を解除する。更に作業者は、ヒューズ収容部３２０の第２案内路３２５ｂに沿って蓋体３３０を長手方向へスライドさせ、蓋体３３０の突起３３３がガイドレール３２３の第２部分３２３ｃに当接した後、ヒューズ収容部３２０の第１案内路３２５ａに沿って蓋体３３０をヒューズ収容部３２０から離隔する方向へスライドさせることにより、蓋体３３０をヒューズ収容部３２０から取り外すことができる。
【００８１】
以上の構成の実施の形態３に係る電気接続箱３０１は多面体型の箱体であり、下面１０ｆにはヒューズを収容するヒューズ収容部３２０が設けられている。ヒューズ収容部３２０には着脱可能な蓋体３３０が装着され、これにより収容されたヒューズが保護される。ヒューズ収容部３２０は、電気接続箱３０１の下面１０ｆから突出して設けられた周壁３２１を有し、周壁３２１の内部にヒューズが収容される。周壁３２１の第１壁３２１ａ及び第３壁３２１ｃの外面には、ガイドレール３２３が突設されている。ガイドレール３２３は、電気接続箱３０１の下面１０ｆに沿う方向と交差する方向へ蓋体３３０を案内する第１案内路３２５ａと、この第１案内路３２５ａに連通して、電気接続箱３０１の下面１０ｆに沿う方向へ蓋体３３０を案内する第２案内路３２５ｂとを画定する。また第２案内路３２５ｂには、蓋体３３０と係合する突起３２４を設けられている。
【００８２】
蓋体３３０は、ヒューズ収容部３２０の周壁３２１の突出端を覆う天板部３３１と、天板部３３１の縁部分に設けた第１側壁３３２ａ〜第３側壁３３２ｃとを有する。蓋体３３０の第１側壁３３２ａ及び第３側壁３３２ｃは、ヒューズ収容部３２０の第１壁３２１ａ及び第３壁３２１ｃの少なくとも一部に対向する。蓋体３３０の第１側壁３３２ａ及び第３側壁３３２ｃには、ヒューズ収容部３２０の第１案内路３２５ａ及び第２案内路３２５ｂにより案内されると共に、第２案内路３２５ｂの突起３２４に係合される突起３３３が設けられている。これらの構成により作業者は、第１案内路３２５ａに案内されて蓋体３３０を電気接続箱３０１の下面１０ｆに沿う方向に交差する方向（下面１０ｆに近接離隔する方向）へスライドさせ、次いで第２案内路３２５ｂに案内されて蓋体３３０を下面１０ｆに沿う方向へスライドさせることにより、蓋体３３０をヒューズ収容部３２０に取り付けることができ、反対の手順で蓋体３３０をヒューズ収容部３２０から取り外すことができる。実施の形態３に係る電気接続箱３０１は、実施の形態２に係る電気接続箱２０１と比較して、下面１０ｆに沿う方向への蓋体３３０のスライド量を低減することができ、蓋体３３０の取り付け及び取り外しの作業性を向上することができる。
【００８３】
また電気接続箱３０１は、ヒューズ収容部３２０の周壁３２１が第１壁３２１ａ〜第４壁３２１ｄの４つの壁が長方形状に配された構成であり、蓋体３３０を案内するガイドレール３２３は長方形の長辺に相当する第１壁３２１ａ及び第３壁３２１ｃの２つにそれぞれ設けられている。また蓋体３３０の天板部３３１は長方形状であり、天板部２３１の長辺に相当する縁部分に設けられた第１側壁３３２ａ及び第３側壁３３２ｃの２つに、ヒューズ収容部３２０の第１案内路３２５ａ及び第２案内路３２５ｂに案内される突起３３３が設けられている。これらの構成により作業者は、蓋体３３０の長手方向へのスライド操作で、蓋体３３０の取り付け及び取り外しの作業を行うことができ、作業性を向上することができる。
【００８４】
また電気接続箱３０１は、ヒューズ収容部３２０の第１壁３２１ａ及び第３壁３２１ｃに、第１案内路３２５ａ及び第２案内路３２５ｂの組がそれぞれ２つずつ設けられている。蓋体３３０の第１側壁３３２ａ及び第３側壁３３２ｃには、第１案内路３２５ａ及び第２案内路３２５ｂにより案内される突起３３３が２つずつ設けられている。これらの構成により、蓋体３３０の案内及び係合を第１壁３２１ａ及び第３壁３２１ｃにてそれぞれ複数ヶ所で行うことが可能となるため、蓋体３３０を安定して案内することができ、作業者による蓋体３３０の取り付け及び取り外しの作業性を向上することができる。
【００８５】
なお実施の形態３においては、ヒューズ収容部３２０の第１壁３２１ａ及び第３壁３２１ｃに第１案内路３２５ａ及び第２案内路３２５ｂの組をそれぞれ２つずつ設ける構成としたが、これに限るものではなく、第１壁３２１ａ及び第３壁３２１ｃに第１案内路３２５ａ及び第２案内路３２５ｂの組をそれぞれ１つずつ又は３つずつ以上設ける構成としてもよい。また図面に示したガイドレール３２３、突起３２４及び案内路３２５等の形状及び配置等は一例であって、これに限るものではない。同様に、蓋体３３０の形状、蓋体３３０の突起３３３の形状及び配置等は一例であって、これに限るものではない。
【００８６】
実施の形態３に係る電気接続箱３０１のその他の構成は、実施の形態１に係る電気接続箱１と同様であるため、同様の箇所には同じ符号を付し、詳細な説明を省略する。
【符号の説明】
【００８７】
１  電気接続箱（箱体）
２  ヒューズ
１０  本体部
１０ａ  正面
１０ｂ  左側面
１０ｃ  背面
１０ｄ  右側面
１０ｅ  上面
１０ｆ  下面
１１  凹所
１１ａ  接続部
１２  接続部
１３  開口
１４  蓋体
２０  ヒューズ収容部（収容部）
２１  周壁
２１ａ  第１壁
２１ｂ  第２壁
２１ｃ  第３壁
２１ｄ  第４壁
２２  仕切壁
２３  被係合部
２３ａ  板部
２３ｂ  連結部
２３ｃ  突起
３０  蓋体
３１  天板部
３２ａ  第１側壁（側壁部）
３２ｂ  第２側壁（側壁部）
３２ｃ  第３側壁（側壁部）
３２ｄ  第４側壁（側壁部）
３３  開口
３５  変形部
３６  板部（板状部分）
３７  係合部
３８  係合部
４０  回路基板
４５  略
２０１  電気接続箱（箱体）
２０３  蓋体
２２０  ヒューズ収容部（収容部）
２２１  周壁
２２１ａ  第１壁（壁）
２２１ｂ  第２壁（壁）
２２１ｃ  第３壁（壁）
２２１ｄ  第４壁（壁）
２２２  仕切壁
２２３  ガイドレール
２２４  リブ（係合部）
２３０  蓋体
２３１  天板部（板部）
２３２ａ  第１側壁（側壁部）
２３２ｂ  第２側壁（側壁部）
２３２ｃ  第３側壁（側壁部）
２３３  庇部（被案内部）
２３４  リブ（被係合部）
３０１  電気接続箱（箱体）
３２０  ヒューズ収容部（収容部）
３２１  周壁
３２１ａ  第１壁（壁）
３２１ｂ  第２壁（壁）
３２１ｃ  第３壁（壁）
３２１ｄ  第４壁（壁）
３２２  仕切壁
３２３  ガイドレール
３２３ａ  第１部分
３２３ｂ  開放部
３２３ｃ  第２部分
３２３ｄ  第３部分
３２３ｅ  第４部分
３２４  突起（係合部）
３２５  案内路
３２５ａ  第１案内路（第１の案内路）
３２５ｂ  第２案内路（第２の案内路）
３３０  蓋体
３３１  天板部（板部）
３３２ａ  第１側壁（側壁部）
３３２ｂ  第２側壁（側壁部）
３３２ｃ  第３側壁（側壁部）
３３３  突起（被案内部、被係合部）
３３５  マーク
【図１】
2019221017.tif 000003
【図２】
2019221017.tif 000004
【図３】
2019221017.tif 000005
【図４】
2019221017.tif 000006
【図５】
2019221017.tif 000007
【図６】
2019221017.tif 000008
【図７】
2019221017.tif 000009
【図８】
2019221017.tif 000010
【図９】
2019221017.tif 000011
【図１０】
2019221017.tif 000012
【図１１】
2019221017.tif 000013
【図１２】
2019221017.tif 000014
【図１３】
2019221017.tif 000015
【図１４】
2019221017.tif 000016
【図１５】
2019221017.tif 000017
【図１６】
2019221017.tif 000018
【図１７】
2019221017.tif 000019
【図１８】
2019221017.tif 000020
【図１９】
2019221017.tif 000021
【図２０】
2019221017.tif 000022
【図２１】
2019221017.tif 000023